(57)【要約】【課題】盗撮画像から透かし情報を正常に検出できない場合でも、盗撮が行われた上映装置等を盗撮画像から特定すること。【解決手段】デジタルシネマを上映する上映装置に設けられ、上映中のデジタルシネマの映像データに所定の情報を重畳する重畳装置３０は、上映装置に関する情報を表し、動画及び静止画で視認不能な透かし情報を、デジタルシネマの映像データに重畳する透かし重畳部３０４と；上映装置に関する情報を表し、少なくとも静止画で視認可能な識別マークを、デジタルシネマの映像データに重畳するマーク重畳部３００、３０６〜３１２と；を備える。【選択図】図３
2009076985.tif 000002
【特許請求の範囲】
【請求項１】
デジタルシネマを上映する上映装置に設けられ、上映中のデジタルシネマの映像データに所定の情報を重畳する重畳装置であって：
前記上映装置に関する情報を表し、動画及び静止画で視認不能な透かし情報を、前記デジタルシネマの映像データに重畳する透かし重畳部と；
前記上映装置に関する情報を表し、少なくとも静止画で視認可能な識別マークを、前記デジタルシネマの映像データに重畳するマーク重畳部と；
を備えることを特徴とする、重畳装置。
【請求項２】
前記マーク重畳部は、
前記上映装置の識別情報を記憶する記憶部と、
前記記憶部に記憶された前記上映装置の識別情報に基づいて、前記上映装置に関する情報を表す前記識別マークを生成するマーク生成部と、
前記デジタルシネマの上映中に、前記マーク生成部により生成された前記識別マークを前記デジタルシネマの映像データに重畳する重畳部と、
を有することを特徴とする、請求項１に記載の重畳装置。
【請求項３】
前記識別マークの形状、大きさ若しくは色、又は、上映画面における前記識別マークの表示位置が、前記上映装置に関する情報ごとに異なることを特徴とする、請求項１に記載の重畳装置。
【請求項４】
上映画面における前記識別マークの表示タイミングが、前記上映装置に関する情報ごとに異なることを特徴とする、請求項１に記載の重畳装置。
【請求項５】
前記上映装置に関する情報は、前記上映装置の識別情報又は前記上映装置のベンダーの識別情報の少なくともいずれかを含むことを特徴とする、請求項１に記載の重畳装置。
【請求項６】
前記上映装置に関する情報は、前記上映装置の設置場所を表す情報又は前記デジタルシネマの上映日時を表す情報の少なくともいずれかを含むことを特徴とする、請求項１に記載の重畳装置。
【請求項７】
前記識別マークは、前記識別マークが重畳された映像データの動画及び静止画で視認可能であることを特徴とする、請求項１に記載の重畳装置。
【請求項８】
前記識別マークは、前記識別マークが重畳された映像データの動画で視認不能であり、前記識別マークが重畳された映像データの静止画で視認可能であることを特徴とする、請求項１に記載の重畳装置。
【請求項９】
デジタルシネマを上映する上映装置であって：
デジタルシネマの映像データを記憶する記憶部と；
前記デジタルシネマの上映時に、前記記憶部に記憶されたデジタルシネマの映像データをデコードする映像デコード部と；
前記上映装置に関する情報を表し、動画及び静止画で視認不能な透かし情報を、前記デコードされたデジタルシネマの映像データに重畳する透かし重畳部と；
前記上映装置に関する情報を表し、少なくとも静止画で視認可能な識別マークを、前記デコードされたデジタルシネマの映像データに重畳するマーク重畳部と；
前記透かし情報及び前記識別マークが重畳された前記映像データをスクリーンに投影する投影部と；
を備えることを特徴とする、上映装置。
【請求項１０】
デジタルシネマを上映する上映方法であって：
前記デジタルシネマの上映時に、記憶部に記憶された前記デジタルシネマの映像データをデコードする映像デコードステップと；
前記上映装置に関する情報を表し動画及び静止画で視認不能な透かし情報、及び、前記上映装置に関する情報を表し少なくとも静止画で視認可能な識別マークを、前記デコードされたデジタルシネマの映像データに重畳する重畳ステップと；
前記透かし情報及び前記識別マークが重畳された前記映像データをスクリーンに投影する投影ステップと；
を含むことを特徴とする、上映方法。
【請求項１１】
デジタルシネマを上映する上映装置のコンピュータに：
前記デジタルシネマの上映時に、記憶部に記憶された前記デジタルシネマの映像データをデコードする映像デコードステップと；
前記上映装置に関する情報を表し動画及び静止画で視認不能な透かし情報、及び、前記上映装置に関する情報を表し少なくとも静止画で視認可能な識別マークを、前記デコードされたデジタルシネマの映像データに重畳する重畳ステップと；
前記透かし情報及び前記識別マークが重畳された前記映像データをスクリーンに投影する投影ステップと；
を実行させるためのプログラム。
【発明の詳細な説明】
【技術分野】
【０００１】
本発明は、重畳装置、上映装置、上映方法及びプログラムに関し、特に、上映されたデジタルシネマの盗撮を防止するための重畳装置、上映装置、上映方法及びプログラムに関する。
【背景技術】
【０００２】
昨今、映画を取り巻く環境は、デジタル技術の進歩によりフィルムからデジタルへと変化し、また近年はデジタルによる上映が可能なデジタルプロジェクタ、上映サーバ等からなる上映装置を導入した上映館が多数登場するなど、本格的なデジタルシネマ（Ｄｉｇｉｔａｌ  Ｃｉｎｅｍａ）時代が到来しつつある。このデジタルシネマは、撮影にフィルムカメラではなくビデオ機材を使って制作される映画、若しくは上映及び配給にフィルムを使用しない映画である。かかる映画のデジタル化によって、現金輸送並みにかかるフィルムの配給手間の削減、編集の容易性、自動化による上映監視員の削減など、さまざまなメリットがあるので、今後は益々、フィルム映画からデジタルシネマへの置換が期待されている。
【０００３】
デジタルシネマの実現には、制作者の意図するイメージやサウンドを忠実に再現するための映像・音声技術に加え、色空間の変換、圧縮や著作権保護のための暗号化処理など、米国７大スタジオによって設立された組織であるデジタルシネマイニシアチブ（ＤＣＩ：Ｄｉｇｉｔａｌ  Ｃｉｎｅｍａ  Ｉｎｉｔｉａｔｉｖｅ）が提唱した仕様に準拠するデジタルシネマパッケージ（ＤＣＰ：Ｄｉｇｉｔａｌ  Ｃｉｎｅｍａ  Ｐａｃｋａｇｅ）と呼ばれる形式のデータを製作する必要がある。
【０００４】
このＤＣＩ規格に基づくデジタルシネマでは、劇場において上映された映画をカムコーダ等により盗撮し、この盗撮画像をＤＶＤ等の記憶媒体にダビングして違法販売することを防止するために、「ＩｎｖｉｓｉｂｌｅＷａｔｅｒＭａｒｋｉｎｇ」と呼ばれる透かし情報を、映像に重畳して上映する方式が採用されている。この方式では、映画本編の画質を損なわないよう、肉眼ではほとんど視認できない程度の透かし強度の画像情報（透かし情報）を原画像に重畳させて上映する。この透かし情報は、劇場に配給される映画コンテンツ自体に予め固定的に埋め込まれているもの（特許文献１参照。）ではなく、個々の上映装置において、上映時にデジタルシネマの原画像に重畳されるものである。つまり、上映装置においてデジタルシネマを上映するときに、デコードされた映像データ（原画像）に対して、上映日時、場所、上映装置自体が有する識別情報等のパラメータを、上記透かし情報として重畳した上で、上映する仕組みとなっている。
【０００５】
かかる視認不能な透かし情報を用いた方式により、たとえ上映された映画が盗撮されて、盗撮画像を記録した海賊版ＤＶＤ等が違法販売されたとしても、この盗撮画像を専用の透かし解読装置で解析することにより、盗撮時刻、盗撮場所等といった盗撮犯人の特定に結びつく情報を、事後的に検知できるようになる。
【０００６】
【特許文献１】特開２００６−４２２７０号公報
【発明の開示】
【発明が解決しようとする課題】
【０００７】
しかしながら、上記従来の方式の透かし情報を解読する場合、盗撮画像の状態によっては透かし情報を１００％検知できるわけではなく、全く検知できないこともある。ところが、現在のＤＣＩ規格では、透かし情報の検出率や、検出不能であった場合の規定などが設けられてない。そのため、上記透かし情報の検出精度は、上映装置を提供する複数のベンダーによって統一されておらず、検出性能の低い透かし情報を重畳する上映装置も存在している。この結果、映画コンテンツの制作者は著作権侵害を受けることとなり、上映に使用された上映装置のベンダーとの間で訴訟問題に発展する可能性がある。
【０００８】
しかし、映画の上映興行が世界各地で行われ、複数のベンダーの上映装置を使用して上映が行われているようなケースでは、海賊版ＤＶＤが流通したとしても、どのベンダーの上映装置で上映された映像が盗撮されたかが分からず、どのベンダーの上映装置に問題があるかなどが不明である。このため、訴訟の矛先をめぐって、ベンダー間での係争に発展してしまう恐れがある。特に、他社に比べ自社の上映装置の透かし情報の検出率が良好であっても、１００％自社の上映装置に問題がないと断言できない以上、検出率が低く不具合が発生し易い上映装置を供給している他社による影響を受けやすいという問題がある。
【０００９】
このため、盗撮画像から上記透かし情報を検出できないケースを補完し、盗撮が行われた上映装置や、そのベンダー、又は盗撮場所等を確実に特定できるようにすることが希求されていた。
【００１０】
そこで、本発明は、上記問題に鑑みてなされたものであり、本発明の目的とするところは、盗撮画像から透かし情報を正常に検出できない場合でも、盗撮が行われた上映装置等を盗撮画像から特定することが可能な、新規かつ改良された重畳装置、上映装置、上映方法及びプログラムを提供することにある。
【課題を解決するための手段】
【００１１】
上記課題を解決するため、本発明のある観点によれば、デジタルシネマを上映する上映装置に設けられ、上映中のデジタルシネマの映像データに所定の情報を重畳する重畳装置であって：前記上映装置に関する情報を表し、動画及び静止画で視認不能な透かし情報を、前記デジタルシネマの映像データに重畳する透かし重畳部と；前記上映装置に関する情報を表し、少なくとも静止画で視認可能な識別マークを、前記デジタルシネマの映像データに重畳するマーク重畳部と；を備えることを特徴とする、重畳装置が提供される。
【００１２】
かかる構成により、上映装置によるデジタルシネマの上映時に、上映対象のデジタルシネマの映像データに対して、当該上映装置に関する情報として、動画及び静止画で視認不能な透かし情報と、少なくとも静止画で視認可能な識別マークとが重畳され、当該透かし情報と識別マークが重畳された映像データが上映される。このため、上映されたデジタルシネマの映像が盗撮されたとしても、盗撮画像には透かし情報と識別マークが含まれることとなる。よって、盗撮画像から透かし情報を検出できない場合でも、識別マークを検出して、盗撮された上映装置に関する情報を取得できる。
【００１３】
また、前記マーク重畳部は、前記上映装置の識別情報を記憶する記憶部と、前記記憶部に記憶された前記上映装置の識別情報に基づいて、前記上映装置に関する情報を表す前記識別マークを生成するマーク生成部と、前記デジタルシネマの上映中に、前記マーク生成部により生成された前記識別マークを前記デジタルシネマの映像データに重畳する重畳部と、を有するようにしてもよい。これにより、上映装置の識別情報に基づいて、当該上映装置に関する情報を表す識別マークを生成して、上映中の映像データに重畳できる。
【００１４】
また、前記識別マークの形状、大きさ若しくは色、又は、上映画面における前記識別マークの表示位置が、前記上映装置に関する情報ごとに異なるようにしてもよい。これにより、上映画面に表示される識別マークの形状、大きさ若しくは色、又は、表示位置の相違により、上映に使用された上映装置に関する情報を判別できるようになる。
【００１５】
また、上映画面における前記識別マークの表示タイミングが、前記上映装置に関する情報ごとに異なるようにしてもよい。これにより、上映画面に表示される識別マークの表示タイミングの相違により、上映に使用された上映装置に関する情報を判別できるようになる。
【００１６】
また、前記上映装置に関する情報は、前記上映装置の識別情報又は前記上映装置のベンダーの識別情報の少なくともいずれかを含むようにしてもよい。これにより、識別マークによって、上映に使用された上映装置又はそのベンダーの識別情報を判別できる。
【００１７】
また、前記上映装置に関する情報は、前記上映装置の設置場所を表す情報又は前記デジタルシネマの上映日時を表す情報の少なくともいずれかを含むようにしてもよい。これにより、識別マークによって、上映に使用された上映装置の設置場所又は上映時間を判別できる。
【００１８】
また、前記識別マークは、前記識別マークが重畳された映像データの動画及び静止画で視認可能であるようにしてもよい。これにより、識別マークが重畳された映像データの動画において、識別マークを肉眼で確認できる。
【００１９】
また、前記識別マークは、前記識別マークが重畳された映像データの動画で視認不能であり、前記識別マークが重畳された映像データの静止画で視認可能であるようにしてもよい。これにより、識別マークが重畳された映像データの動画では、識別マークを視認できないので、観客は違和感を受けることがない。一方、識別マークが重畳された映像データの静止画では、識別マークを肉眼で確認できる。
【００２０】
また、上記課題を解決するため、本発明のある観点によれば、デジタルシネマを上映する上映装置であって：デジタルシネマの映像データを記憶する記憶部と；前記デジタルシネマの上映時に、前記記憶部に記憶されたデジタルシネマの映像データをデコードする映像デコード部と；前記上映装置に関する情報を表し、動画及び静止画で視認不能な透かし情報を、前記デコードされたデジタルシネマの映像データに重畳する透かし重畳部と；前記上映装置に関する情報を表し、少なくとも静止画で視認可能な識別マークを、前記デコードされたデジタルシネマの映像データに重畳するマーク重畳部と；前記透かし情報及び前記識別マークが重畳された前記映像データをスクリーンに投影する投影部と；を備えることを特徴とする、上映装置が提供される。
【００２１】
また、上記課題を解決するため、本発明のある観点によれば、デジタルシネマを上映する上映方法であって：前記デジタルシネマの上映時に、記憶部に記憶された前記デジタルシネマの映像データをデコードする映像デコードステップと；前記上映装置に関する情報を表し動画及び静止画で視認不能な透かし情報、及び、前記上映装置に関する情報を表し少なくとも静止画で視認可能な識別マークを、前記デコードされたデジタルシネマの映像データに重畳する重畳ステップと；前記透かし情報及び前記識別マークが重畳された前記映像データをスクリーンに投影する投影ステップと；を含むことを特徴とする、上映方法が提供される。
【００２２】
また、上記課題を解決するため、本発明のある観点によれば、デジタルシネマを上映する上映装置のコンピュータに：前記デジタルシネマの上映時に、記憶部に記憶された前記デジタルシネマの映像データをデコードする映像デコードステップと；前記上映装置に関する情報を表し動画及び静止画で視認不能な透かし情報、及び、前記上映装置に関する情報を表し少なくとも静止画で視認可能な識別マークを、前記デコードされたデジタルシネマの映像データに重畳する重畳ステップと；前記透かし情報及び前記識別マークが重畳された前記映像データをスクリーンに投影する投影ステップと；を実行させるためのプログラムが提供される。
【発明の効果】
【００２３】
以上説明したように本発明によれば、盗撮画像から透かし情報を正常に検出できない場合でも、盗撮が行われた上映装置等を盗撮画像から特定することができる。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
まず、図１を参照して、本発明の一実施形態にかかるデジタルシネマを上映する上映システムについて説明する。図１は、本実施形態にかかる上映システムを示す概略構成図である。
【００２６】
図１に示すように、本実施形態にかかる上映システムは、例えば、デジタルシネマを上映する劇場（映画館、ドライブシアターなど）に設置され、デジタルシネマを上映する上映装置１などで構成される。この上映システムは、デジタルシネマを再生する上映サーバ１０と、上映サーバ１０により再生されたデジタルシネマの映像をスクリーン２６に投影するプロジェクタ２２（投影部に相当する。）と、上映サーバ１０により再生されたデジタルシネマの音声を出力するスピーカ２４と、上記プロジェクタ２２によりデジタルシネマの映像が投影されるスクリーン２６と、を主に備える。
【００２７】
本実施形態にかかる上映装置１は、記憶装置に記憶されたデジタルシネマの映像データをデコードしてプロジェクタ２２からスクリーン２６に投影するとともに、デジタルシネマの音声データをデコードしてスピーカ２４から音声出力する。この上映装置１は、例えば図１に示すように、上映サーバ１０とプロジェクタ２２とが同一の筐体内に一体化された装置として構成されている。この場合、上映装置１の筐体内で、プロジェクタ２２と上映サーバ１０とは、例えば有線又は無線で接続される。しかし、かかる例に限定されず、上映サーバ１０とプロジェクタ２２とを別体の装置として分離構成してもよい（図８参照）。なお、上映装置１において、プロジェクタ２２は１つだけ設けてもよいし、複数設けてもよい。複数のプロジェクタ２２を設ける場合には、デジタルシネマの本編の映像と、当該本編の前に上映されるトレーラー、宣伝広告などの映像とを、それぞれ別のプロジェクタで上映できる。また、スピーカ２４は、デジタルシネマの音声のチャンネル数（例えば、５．１ＣＨ、６．１ＣＨ等）に応じて劇場内に複数設けられ、スピーカ２４と上映サーバ１０とは例えば有線又は無線で接続される。
【００２８】
デジタルシネマの実現には、映画制作者の意図するイメージやサウンドを忠実に再現するための映像・音声技術に加え、色空間の変換、圧縮や著作権保護のための暗号化処理など、米国７大スタジオによって設立された組織であるデジタルシネマイニシアチブ（ＤＣＩ：Ｄｉｇｉｔａｌ  Ｃｉｎｅｍａ  Ｉｎｉｔｉａｔｉｖｅ）が提唱した仕様に準拠するデジタルシネマパッケージ（ＤＣＰ：Ｄｉｇｉｔａｌ  Ｃｉｎｅｍａ  Ｐａｃｋａｇｅ）と呼ばれる形式のデータを製作する必要がある。このＤＣＰの画面サイズは、現状では例えば、４ｋ（４０９６×２１６０画素）と２ｋ（２０４８×１０８０画素）が定められている。かかるＤＣＰは、デジタルシネマのコンテンツデータ（映像データ、音声データ及び／又は字幕データ）と、これらのコンテンツデータを管理するための管理データ（アセットマップ（Ａｓｓｅｔ  Ｍａｐ）、ボリュームインデックス（Ｖｏｌｕｍｅ  Ｉｎｄｅｘ）、パッキングリスト（Ｐａｃｋｉｎｇ  Ｌｉｓｔ）、コンポジションプレイリスト（Ｃｏｍｐｏｓｉｔｉｏｎ  Ｐｌａｙ  Ｌｉｓｔ）など）とを含む。
【００２９】
かかるＤＣＰは、デジタルシネマの制作会社、配給会社又は配信会社などに設置されたＤＣＰ作成サーバ（図示せず。）により作成される。ＤＣＰ作成サーバは、デジタルシネマの素材データを加工（映像処理、圧縮符号化、暗号化等）して、当該デジタルシネマについて、暗号化されたＤＣＰと、暗号化されたＤＣＰを再生するために必要な鍵情報とを作成する。このＤＣＰ作成サーバにより作成されたＤＣＰ及び鍵情報は、配給会社又は配信会社から、図１に示す各劇場に配給される。この配給手法としては、例えば、着脱可能な記録媒体（リムーバブルメディア）を用いた搬送と、ネットワークを介した配信などがある。上記ＤＣＰ及び鍵情報が配給された劇場では、上映システムにてＤＣＰ内のコンテンツデータを再生して、デジタルシネマを上映する。
【００３０】
上映サーバ１０は、上記ＤＣＰ作成サーバから配給されたＤＣＰ及び鍵情報を取得し、上映サーバ１０に付随して設けられた情報記憶装置（図示せず。後述の図２の磁気記憶装置１５に相当する。）に、上記取得したＤＣＰ及び鍵情報をインジェストして格納する。この情報記憶装置は、デジタルシネマに関する大量のデータを格納可能な大容量の記憶装置、例えば、ハードディスクドライブ（ＨＤＤ）等で構成される。この情報記憶装置は、上映サーバ１０に内蔵されてもよいし、上映サーバ１０に外付けされてもよい。さらに、上映サーバ１０は、かかる情報記憶装置に記憶されているデジタルシネマの映像、音声及び／又は字幕等のコンテンツデータを再生、即ち、鍵情報を用いて解読（デクリプト）及び伸張（デコード）する。
【００３１】
かかる上映サーバ１０により再生されたデジタルシネマの映像及び字幕データは、プロジェクタ２２によりスクリーン２６に投影され、また、再生されたデジタルシネマの音声データは、スピーカ２４から出力される。このようにして、上映システムにてデジタルシネマの上映が行われ、劇場内の観客は、上映されたデジタルシネマを視聴できる。
【００３２】
次に、図２を参照して、本実施形態にかかる上映サーバ１０のハードウェア構成を説明する。図２は、本実施形態にかかる上映サーバ１０を示す構成図である。
【００３３】
図２に示すように、本実施形態にかかる上映サーバ１０は、例えば、ＣＰＵ（Ｃｅｎｔｒａｌ  Ｐｒｏｃｅｓｓｉｎｇ  Ｕｎｉｔ）１１と、主記憶装置１２と、ネットワーク制御装置１３と、着脱式記憶装置１４と、磁気記憶装置１５と、映像デコード装置１６と、音声デコード装置１７と、端末制御装置１８と、電源装置１９と、重畳装置３０と、これらの装置を相互に接続するローカルバスとを備える。
【００３４】
ＣＰＵ１１は、演算処理装置および制御装置として機能し、上映サーバ１０内の各装置を制御する。このＣＰＵ１１は、主記憶装置１２に記憶されているプログラム、或いは、磁気記憶装置１５から主記憶装置１２にロードされたプログラムに従って、各種の処理を実行する。主記憶装置１２は、例えば、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの各種メモリで構成され、ＣＰＵ１１が使用するプログラムや、その実行において適宜変化するパラメータ等を記憶する。また、主記憶装置１２は、ＣＰＵ１１から磁気記憶装置１５へのアクセスを軽減するためのバッファーとしても機能する。また、主記憶装置１２は、各種ソフトウェア処理の実体を稼動する。
【００３５】
ネットワーク制御装置１３は、例えば、上映サーバ１０をＬＡＮ等のネットワークに接続するための通信デバイス等で構成された通信装置である。このネットワーク制御装置１３は、上映サーバ１０と外部装置（図示せず。）との間で、イーサネット（登録商標）などのネットワークを介して各種データを送受信する。また、ネットワーク制御装置１３は、上映サーバ１０を外部からネットワーク制御して、動作を監視するために使用される。また、ネットワーク制御装置１３は、上映サーバ１０にネットワークを介して接続された外部装置から、デジタルシネマのコンテンツデータ（ＤＣＰ）を受信して、上映サーバ１０にインジェストするためにも用いられる。
【００３６】
着脱式記憶装置１４は、デジタルシネマのコンテンツデータや鍵情報を記憶する記憶装置である。この着脱式記憶装置１４は、映画コンテンツデータや鍵情報をオフラインで上映サーバ１０にインジェストするために用いられる。この着脱式記憶装置１４の記録媒体としては、例えば、ハードディスク等の磁気ディスク、又は、次世代ＤＶＤ、ＤＶＤ−Ｒ、ＤＶＤ−ＲＷ、ＤＶＤ−ＲＡＭ、光磁気ディスク等の光ディスク、又は、各種の半導体メモリなど、任意の記録媒体を使用できる。着脱式記憶装置１４は、その記録媒体に対して、デジタルシネマのコンテンツデータ、ログ（再生ログ等）、構成情報などの各種データを書き込み／読み出しする。具体的には、着脱式記憶装置１４は、記録媒体に記録されているデータを読み出して、ローカルバスを介して接続されている主記憶装置１２に供給する。ＣＰＵ１１は、必要に応じて、これらのデータを磁気記憶装置１５などに格納する。一方、着脱式記憶装置１４は、主記憶装置１２または磁気記憶装置１５などに格納されているデータ、新たに生成したデータ、或いは外部装置から取得したデータを、ＣＰＵ１１から受け取り、自身の記録媒体に書き込む。かかる着脱式記憶装置１４により、配給会社から劇場にオフラインで配給されたデジタルシネマのコンテンツデータや情報鍵を、上映サーバ１０にインジェストできる。
【００３７】
磁気記憶装置１５は、デジタルシネマの映像、音声データを記憶する記憶部の一例であり、例えば、ＣＰＵ１１が実行するプログラムや、デジタルシネマのコンテンツデータ、ログ（再生ログ等）、構成情報などの各種データを記憶する。一般にデジタルシネマのデータ量は大きいので、磁気記憶装置１５としては、かかるデジタルシネマのデータを記憶可能な大容量の外部記憶装置が使用される。この観点から、磁気記憶装置１５としては、複数のハードディスクをまとめて１台のハードディスクとして管理する技術であるＲＡＩＤ（Ｒｅｄｕｎｄａｎｔ  Ａｒｒａｙｓ  ｏｆ  Ｉｎｅｘｐｅｎｓｉｖｅ  Ｄｉｓｋｓ）を利用した記憶装置（所謂、ＲＡＩＤ装置）が使用される。この磁気記憶装置１５は、上映サーバ１０にインジェストされたＤＣＰのデータを保持する。この場合、磁気記憶装置１５は、複数のデジタルシネマのデータを、デジタルシネマごとのディレクトリに区分けして記憶する。かかる磁気記憶装置１５に記憶されるデジタルシネマのコンテンツデータ（李像、音声、字幕データ）は、一般的に、圧縮符号化、暗号化されたデータである。なお、デジタルシネマのＤＣＰを記憶する記憶装置としては、上記磁気記憶装置１５の例に限定されず、大容量の光ディスク、半導体メモリなどを記憶媒体とする記憶装置を用いてもよい。
【００３８】
映像デコード装置１６は、所定の圧縮符号化方式（例えばＪＰＥＧ２０００：Ｊｏｉｎｔ  Ｐｈｏｔｏｇｒａｐｈｉｃ  Ｅｘｐｅｒｔｓ  Ｇｒｏｕｐ  ２０００）で圧縮符号化された映像データを伸張（デコード）して、当該デコードした映像データを、重畳装置３０を介してプロジェクタ２２に出力する。また、音声デコード装置１７は、所定の圧縮符号化形式（例えばＷＡＶ）で圧縮符号化された音声データを伸張（デコード）して、当該デコードした音声データをスピーカ２４に出力する。かかる映像デコード装置１６と音声デコード装置１７により、磁気記憶装置１５に記憶されているデジタルシネマの映像データと音声データを再生できる。
【００３９】
端末制御装置１８は、例えば、マウス、キーボード、タッチパネル、ボタン、スイッチ、レバー等の入力装置や、ＣＲＴ（Ｃａｔｈｏｄｅ  Ｒａｙ  Ｔｕｂｅ）ディスプレイ装置、液晶ディスプレイ（ＬＣＤ）装置等の表示装置（モニター）と接続される。この端末制御装置１８は、当該入力装置や表示装置を利用して、上映サーバ１０をローカル制御して、動作を監視するために用いられる。ユーザは、上記入力装置を操作することにより、端末制御装置１８を介して、上映サーバ１０に対して各種のデータを入力したり、処理動作を指示したりすることができる。また、電源装置１９は、上映サーバ１０内の各装置に電力を供給する。
【００４０】
重畳装置３０は、デジタルシネマの盗撮を防止するため、上記映像デコード装置１６によりデコードされたデジタルシネマの映像データ（デジタルシネマの原画像）に対して、所定の情報を表す画像を重畳する。この重畳装置３０は、デジタルシネマの上映時に、デコードされたデジタルシネマの映像データに対して、上映装置１に関する情報（例えば、上映装置１の識別情報、上映装置１のベンダーの識別情報、上映日時、上映場所など）を重畳する。このとき重畳装置３０は、上映装置１に関する情報として、デジタルシネマの再生映像の動画及び静止画で視認不能な透かし情報と、少なくとも静止画で視認可能な識別マークという、２種類の盗撮防止用情報を重畳することを特徴とする。
【００４１】
上述したように、ＤＣＩ規格では、盗撮防止の観点から、上映日時、上映場所、上映装置自体が有する識別情報等のパラメータを表す透かし情報（ＩｎｖｉｓｉｂｌｅＷａｔｅｒＭａｒｋｉｎｇ）を、デジタルシネマの原画像に重畳することが規定されている。この透かし情報は、肉眼では視認不能であるので、デジタルシネマの原画像に重畳しても、映画本編の画質を損なわないため、観客に違和感を与えず、さらに、盗撮者にも気づかれにくいという利点がある。しかし、盗撮画像の画像状態によっては、透かし検出装置を用いても、盗撮画像から透かし情報を好適に検出できない場合があるという問題がある。
【００４２】
そこで、盗撮画像から透かし情報を好適に検出できないケースを補完するために、重畳装置３０は、デジタルシネマの上映時に、上記透かし情報に加えて、少なくとも静止画において肉眼で視認可能な識別マークを重畳する。この識別マークは、上映装置１に関する情報（例えば、上映装置１の識別情報、上映装置１のベンダーの識別情報、上映日時、上映場所など）を表す識別情報である。かかる識別マークは、上記視認不能な透かし情報とは異なり、上映画像及び盗撮画像において視認可能な画像情報であり、盗撮画像を再生したときの少なくとも静止画において視認できるような態様で原画像に重畳される。このとき、識別マークは、上映画像の動画及び静止画の双方において視認可能となるような態様で、原画像に重畳されてもよいし、或いは、上映画像の静止画において視認可能であるが、上映画像の動画においては視認不能な態様で重畳されてもよい。ここで、後者は、上映画像を盗撮した盗撮画像を通常の再生速度（例えば２４フレーム／ｓｅｃ）で再生したときの動画面では、識別マークを肉眼ではほとんど視認できないが、当該盗撮画像の再生を停止した静止画面では、１フレームの画像内に識別マークを視認可能であることを意味する。
【００４３】
このような重畳装置３０により、映画本編の映像データに上映装置１のベンダー等を表す識別マークを重畳することで、上映される映像の一部を肉眼でも視認可能な方法で変更する。これにより、上映中のデジタルシネマが盗撮され、その盗撮画像から透かし情報を検出できない場合であっても、盗撮画像に含まれる識別マークから、盗撮に使用された上映装置１やそのベンダー等を特定できるようになる。以下にこの重畳装置３０について詳述する。
【００４４】
次に、図３を参照して、本実施形態にかかる上映装置１に設けられた重畳装置３０の構成について説明する。図３は、本実施形態にかかる上映装置１に設けられた重畳装置３０を示す構成図である。
【００４５】
図３に示すように、重畳装置３０は、装置固有情報生成部３００と、装置ＩＤ記憶部３０２と、透かし重畳部３０４と、マーク表示条件設定部３０６と、マーク表示タイミング判定部３０８と、マーク生成部３１０と、重畳部３１２と、を備える。
【００４６】
重畳装置３０は、透かし重畳部と、マーク重畳部として機能する。透かし重畳部は、上映装置１に関する情報ごとに異なる透かし情報（ＩｎｖｉｓｉｂｌｅＷａｔｅｒＭａｒｋｉｎｇ）を、映像デコード装置１６でデコードされたデジタルシネマの映像データに重畳する機能を有する。この透かし重畳部は、図３に示す装置固有情報生成部３００と、装置ＩＤ記憶部３０２と、透かし重畳部３０４とから構成される。
【００４７】
また、マーク重畳部は、上映装置１に関する情報ごとに異なる識別マーク（Ｖｉｓｉｂｌｅ  Ｍａｒｋ）を、映像デコード装置１６でデコードされたデジタルシネマの映像データに重畳する機能を有する。このマーク重畳部は、図３に示す装置固有情報生成部３００と、装置ＩＤ記憶部３０２と、マーク表示条件設定部３０６と、マーク表示タイミング判定部３０８と、マーク生成部３１０と、重畳部３１２とから構成される。以下、重畳装置３０の各部について説明する。
【００４８】
装置固有情報生成部３００は、上映装置１に固有の情報（以下、「装置固有情報」という。）を生成する。この装置固有情報は、上映装置１に関する情報の一例である。例えば、装置固有情報は、上映装置１のベンダーの識別情報（ベンダーＩＤ）と、上映装置１の設置場所を表す情報と、上映装置１におけるデジタルシネマの上映日時を表す情報と、上映装置１の識別情報（装置ＩＤ）とを含む。
装置固有情報＝（ベンダーＩＤ、設置場所、上映日時、装置ＩＤ（シリアルナンバー））
しかし、かかる例に限定されず、上映装置１に関連する情報は、これらの情報のうちの一部のみを含んでもよいし、上映装置１に関連する他の識別情報を含んでもよい。
【００４９】
装置ＩＤ記憶部３０２は、上映装置１の識別情報を記憶する記憶部に相当する。装置ＩＤ記憶部３０２は、ＲＡＭ等のメモリで構成され、上映装置１に固有に付与された識別情報をセキュアに記憶している。この識別情報は、例えば、工場出荷時等に上映装置１に固有に付与されるシリアルナンバー等の装置ＩＤであるが、上映装置１のベンダーの識別情報であるベンダーＩＤなどを含んでもよい。上記の装置固有情報生成部３００は、かかる装置ＩＤ記憶部３０２に記憶されている上映装置１の識別情報（装置ＩＤ、ベンダーＩＤ等）を読み出し、この識別情報に基づいて、上記装置固有情報を生成する。例えば、装置固有情報生成部３００は、装置ＩＤ記憶部３０２から読み出した装置ＩＤ、ベンダーＩＤ等に、デジタルシネマの上映日時を表す情報、上映装置１の設置場所を表す情報を付加して、装置固有情報を生成する。この際、上映装置１の設置場所は、例えば、国レベル、一国内の州又は地方レベル単位、劇場レベルなど、上映場所を表す情報であれば、任意のレベルで設定できる。
【００５０】
透かし重畳部３０４は、上記装置固有情報生成部３００により生成された装置固有情報を表す透かし情報を生成し、この透かし情報を、上映時にデコードされた映像データに重畳する。この透かし情報は、上述したように、上映画像及び盗撮画像の動画及び静止画にて視認不能な画像情報である。透かし重畳部３０４は、所定の電子透かし埋め込みアルゴリズムに従って、上記透かし情報をデジタルシネマの原画像に重畳する処理を実行する。これにより、上映画像において視認不能な状態となるように透かし情報をデジタルシネマの原画像上に重畳できる。
【００５１】
デジタルシネマの上映時に、透かし重畳部３０４により透かし情報を原画像に重畳しておくことで、盗撮が行われた場合に、透かし解析装置を用いて盗撮画像を解析して透かし情報を検出できる。これによって、検出した透かし情報が表す装置固有情報に基づいて、盗撮が行われた上映装置１のベンダー、設置場所、盗撮日時などを特定できる。
【００５２】
次に、マーク重畳部について説明する。このマーク重畳部は、上記装置固有情報生成部３００により生成された装置固有情報を表す識別マークを生成し、この識別マークをデジタルシネマの原画像に、少なくとも静止画にて視認可能な態様で重畳する。以下にこのマーク重畳部を構成する各部について説明する。
【００５３】
マーク表示条件設定部３０６は、デジタルシネマの原画像に識別マークを表示する条件を設定する。後述するように、本実施形態では、デジタルシネマの原画像上に重畳される識別マークの形状、大きさ、色、画面内の表示位置、或いは、識別マークを表示するタイミングなどの相違によって、識別対象（上映装置１のベンダー、設置場所など）を識別できるようにしている。そこで、マーク表示条件設定部３０６は、上記装置固有情報生成部３００により生成された装置固有情報に応じて、デジタルシネマの原画像に対する識別マークの表示条件（表示される識別マークの形状、大きさ、色等や、表示位置、表示タイミング等）を設定する。
【００５４】
例えば、図４に示すように、装置固有情報が上映装置１のベンダーＡを表す場合には識別マーク「■」を表示し、装置固有情報がベンダーＢを表す場合には識別マーク「●」を表示するように、マーク表示条件を設定する。別の設定例としては、図６に示すように、装置固有情報がベンダーＡを表す場合に３回点滅する識別マークを表示し、装置固有情報がベンダーＣを表す場合には１回点滅する識別マークを表示するように、マーク表示条件を設定する。
【００５５】
また、マーク表示条件設定部３０６は、コンテンツの種類に応じて、識別マークを重畳して表示するか否かを決定することもできる。詳細には、マーク表示条件設定部３０６は上映対象の映画コンテンツの暗号化状態を参照することにより、盗撮を許容するコンテンツと、許容しないコンテンツとを区別し、コンテンツに対して識別マークの表示を行うか否かを決定する。例えば、映画本編のコンテンツは、磁気記憶装置１５に暗号化されてセキュアに格納されており、厳重に著作権管理すべきコンテンツであるので、当該映画本編のコンテンツには識別マークを重畳するよう設定する。一方、映画予告編や広告のコンテンツは、元々暗号化されておらず盗撮されてもよいものであれば、識別マークを重畳しないように設定する。
【００５６】
マーク表示タイミング判定部３０８は、上記マーク表示条件設定部３０６によって設定されたマーク表示条件に従って、識別マークを表示するタイミングを判定し、マーク生成部３１０に表示タイミングを指示する。マーク表示タイミング判定部３０８には、映像デコード装置１６から、デコードされた原画像の映像データのタイミングを表すタイミングコードが入力される。マーク表示タイミング判定部３０８は、このタイミングコードに基づき、上記マーク表示タイミングに応じたタイミングで、デコードされた映像データ（原画像）上に識別マークを重畳するように、マーク生成部３１０に指示する
【００５７】
マーク生成部３１０は、上記マーク表示条件設定部３０６によって設定されたマーク表示条件に従って、装置固有情報に応じた識別マークを生成する。このマーク生成部３１０は、入力された装置固有情報が表す識別対象に応じて異なる表示パターン（形状、大きさ、色若しくは表示位置、或いは表示タイミングなど）の識別マークを生成する。マーク生成部３１０により生成された識別マークの画像情報は、重畳部３１２に出力されて、デジタルシネマの映像データに重畳される。このとき、マーク生成部３１０は、マーク表示タイミング判定部３０８からの表示タイミングの指示に基づいて、識別マークを重畳部３１２に出力する。これにより、重畳部３１２は、マーク生成部３１０から識別マークの画像情報が入力された時点で、原画像の映像データのフレームに当該識別マークの画像情報を重畳する。この結果、原画像の一部のフレームにのみ識別マークを重畳できる。
【００５８】
以上、本実施形態にかかる重畳装置３０の構成と、デジタルシネマの原画像（デコードされた映像データ）に対する透かし情報と識別マークの重畳処理について説明した。なお、上記図３の例では、デコードされた映像データに対して、透かし情報を重畳した後に、識別マークを重畳しているが、かかる例に限定されず、識別マークを重畳した後に、透かし情報を重畳してもよい。
【００５９】
次に、本実施形態にかかる識別マークの表示方法について詳細に説明する。上述したように、識別マークは、デジタルシネマの盗撮を防止するために、デジタルシネマの上映時に原画像に透かし情報とともに重畳されるものである。この識別マークは、盗撮状況（盗撮に使用された上映装置１やそのベンダー、盗撮場所、盗撮日時）を特定するための識別情報を表し、画質が劣化した盗撮画像から透かし情報を検出できなかった場合に、上記盗撮状況を特定するために補完的に使用されるものである。この識マークは、肉眼で視認可能であるので、画質が劣化した盗撮画像においても、透かし情報よりも明瞭に検出可能である。
【００６０】
このように識別マークが透かし情報を補完する機能を発揮するためには、盗撮画像の少なくとも静止画においては、識別マークは視認可能に表示されることが要求される。ところが、かかる識別マークは、上映中のデジタルシネマの原画像に重畳されるものである。このため、識別マークが目立って表示されると、観客に違和感、不快感を与え、映画の評価に悪影響を及ぼすのみならず、盗撮者にも識別マークの存在が暴露してしまい、盗撮画像から識別マークが除去されてしまう恐れもある。
【００６１】
従って、かかる観点からは、識別マークは、上映画面上で視認可能でありつつも、観客にとって違和感ない態様で表示されることが望ましい。そこで、本実施形態では、識別マークを上映画面上に違和感なく表示するために、従来のフィルム映画におけるリールチェンジマーク（Ｒｅｅｌ  Ｃｈａｎｇｅ  Ｍａｒｋ：ＲＣＭ）と同様な表示位置（例えば、表示画面の右上隅）に、識別マークを表示するようにしている。以下に、本実施形態にかかる識別マークと、従来のリールチェンジマークとの関係について説明する。
【００６２】
ＤＣＩ規格のデジタルシネマではＤＣＰとよばれるコンテンツパッケージの規格に基づいてコンテンツが配給され、１本の映画は、複数のリール（ｒｅｅｌ）という概念から構成されている。このリールとは、１つのデジタルシネマを、時間的に細分化した単位であり、例えば、１つのデジタルシネマ（１２０分）を時間的に１０個に均等分割した場合には、１０個のリール（１２分単位）が作成される。このリールは、映像と音声について別々に存在し、それぞれがＭＸＦファイルとしてラッピングされ、１リールが１ファイルで構成される。
【００６３】
本実施形態にかかる上映装置１では、このリール間の境界付近の映像に、従来のフィルム映画の上映装置（映写機）で使用されていたＲＣＭのような識別マークを、デジタル的に付加し、その識別マークの形状又は表示タイミングなどから、上映装置１等の識別を可能にするものである。
【００６４】
従来のフィルム映画の上映は１本のリールでは収まらず、複数のリールに分割されている。１リールにはおよそ２０００フィートの長さまで収容可能であり、これは上映時間に換算すると２０分程度に相当する。その結果、約２時間の映画は６リール程度に分割する必要があった。
【００６５】
これら複数に分割されたリールを、上映中に順次、シームレスにつなぐことで、１つの映画の上映が継続される。このために、２台の映写機、即ち、現在上映中の映写機とは別に待機系の映写機を用意し、待機系の映写機に次のリールを装填しておく。さらに、リールの切り替えタイミングを上映画像から判断するために、リールチェンジマークと呼ばれるマークをフィルムに付加しておく。このリールチェンジマークは、リールエンド付近のフィルム上の隅の目立たない部分を、小さく時間をずらして複数回（通常２回程度）、原画像をつぶすように抜いて（あるいは塗って）構成される。このリールチェンジマークの部分を含む画像が映写機を通過すると、上映された映像の隅の一部が一瞬、時間差で白く（あるいは黒く）打ち抜かれたように見えるので、リールエンドの到来を把握できる。そこで、リール切り替え時には、映写室にいる上映管理者が、リールエンドの直前でリールチェンジマークを目視で確認すると、リールを手動で切り替えたり、あるいは、センサでリールチェンジマークを検出して、映写機が自動的にリールを切り替えたりしていた。
【００６６】
なお、上記方式は主に北米でみられる方法であるが、ヨーロッパ系の映画館では、リールエンド直前でフィルム上に引っかき傷を意図的に作っておき、この傷が表示されるタイミングで上映管理者に通知する方法もある。本明細書においては、これらのいずれもリールチェンジマークと呼称する。
【００６７】
このようにフィルム映画時代には、映画の興行時には配給された映画のリールチェンジを可能にすべく、上映現場においてリール境界にリールチェンジマークを付加するためにわずかに原画像を欠くことが慣例となっていた。そして、長い映画産業の歴史において事実上、このリールチェンジマークの存在は許容され、一般的に違和感なく定着している。
【００６８】
そこで、本実施形態では、上映現場でのリールチェンジマークの表示の概念を継承し、デジタルシネマの上映装置１にてデジタル的にチェンジマーク（即ち、識別マーク）を生成して、この電子リールチェンジマークに相当する識別マークを、デジタルシネマの原画像に重畳して上映を行う。その後、その識別マークを含む盗撮画像が発見された場合で、なおかつ、専用の透かし解読装置により透かし情報を検出できない場合に、その識別マークの形状、大きさ、色、表示位置若しくは表示タイミング、又は、それらの組み合わせからなる情報（識別マークの表示パターン）に基づき、上映装置１のベンダー等を特定可能にしている。
【００６９】
この識別マークは、映画の上映画面において従来のリールチェンジマークに対応する位置（例えば画面の右上隅）に、当該リールチェンジマークに対応する表示タイミング（例えば、リールエンド付近で複数回（例えば２回）点滅）で表示される。このため、観客は、上映中に表示される識別マークに違和感を受けることなく、許容することができる。また、盗撮者も、表示された識別マークを、盗撮防止用の識別情報であると気づきにくいので、盗撮者が盗撮画像から識別マークを削除した上で海賊版を流通させるといった対策を防止できる。
【００７０】
次に、図４を参照して、本実施形態にかかる識別マークの表示例について説明する。図４は、本実施形態にかかる識別マークの表示例を示す説明図である。
【００７１】
図４に示す例では、装置固有情報として上映装置１のベンダーを採用し、上映装置１のベンダーごとに相異なる形状の識別マークが設定されている。具体的には、図内の右上の表に示すように、上映装置１のベンダーＡ、Ｂ、Ｃ社を識別するための識別マークを、「■」、「●」、「◆」という複数パターン用意し、それぞれの識別マークに対応するベンダー名を予め定義しておく。
【００７２】
そして、各ベンダーの上映装置１では、デジタルシネマの上映時に、自社に対応する識別マークを、上映されるデジタルシネマの原画像に重畳して表示するようにする。このとき、識別マークは、原画像の各リールエンド付近の所定位置にある数フレームに対して、上映画面の右上隅（従来のリールチェンジマークに相当する位置）に、重畳して表示される。例えば、図示の例では、リールエンドから１、２、５、６番目のフレーム４０に対して、ベンダーＡ社を表す「■」の識別マーク５０が、フレーム４０内の右上隅に重畳されている。これにより、デジタルシネマの上映中には、各リールエンド付近で、上映中の画面の右上隅に、ベンダーＡ社を表す「■」の識別マーク５０が２回点滅するように表示される。
【００７３】
この結果、デジタルシネマの上映中に、かかる識別マーク５０が重畳された部分を含む映画が盗撮されて海賊版が流通したとしても、後に海賊版に記憶された盗撮画像を再生すると、識別マーク５０の形状を識別できるため、盗撮が行われた上映装置１のベンダーを特定できる。よって、盗撮者を特定する手がかりを得ることができ、盗撮防止につながる。また、当該デジタルシネマの上映中には、識別マークは、従来のリールチェンジマークと同様な態様で表示（例えば、それぞれのリールエンド付近で、画面右上隅に２回点滅で表示）される。従って、観客は識別マーク５０の表示に違和感を覚えることなく、デジタルシネマの本編映像を鑑賞でき、盗撮者も識別マークの存在に気づきにくい。
【００７４】
なお、図４の例では、識別マークの形状として、「■」、「●」、「◆」等の例を挙げたが、識別マークの形状は、かかる例に限定されない。例えば、識別マークの形状は、上記以外の形状や、引っかき傷のような線状などであってもよい。ただし、一般的に盗撮画像の画質は劣化している傾向があるため、識別マークの形状に基づいて識別を行う場合は、極力、画質低下が生じても確認しやすい形状であることが好ましい。
【００７５】
次に、図５を参照して、本実施形態にかかる識別マークの別の表示例について説明する。図５は、本実施形態にかかる識別マークの別の表示例を示す説明図である。
【００７６】
図５に示す例では、上映画像の画面内における識別マーク５０の表示位置（即ち、上映される映像データのフレーム４０内における識別マーク５０の重畳位置）に基づき、上映装置１に関する装置固有情報を識別する例である。図示の例では、識別マーク５０による識別対象となる装置固有情報は、上映装置１の設置場所（上映場所）であり、例えば、劇場Ａ〜Ｄである。
【００７７】
例えば、識別マーク５０ａが上映画面内の左上隅の位置ａに表示された場合には、上映装置１の設置場所が劇場Ａであると判定できる。また、識別マーク５０ｂが上映画面内の右上隅の位置ｂに表示された場合には、上映装置１の設置場所が劇場Ｂであると判定できる。
【００７８】
このように、上映画面内の識別マーク５０の表示位置によっても、上映装置１の装置固有情報を識別可能に表現することができる。この場合、上記図４の識別マークの形状で識別する場合と比して、識別マークの大きさを小さくして、違和感を低減することができる。なお、上映画面内における識別マーク５０の表示位置は、図示の例に限定されず、本編映像の鑑賞に極端に邪魔にならない位置であれば、例えば、画面の４辺隅、字幕付近などであってもよい。
【００７９】
次に、図６を参照して、本実施形態にかかる識別マークの別の表示例について説明する。図６は、本実施形態にかかる識別マークの別の表示例を示す説明図である。
【００８０】
図６に示す例では、識別マーク５０の表示タイミングに基づき、上映装置１に関する装置固有情報を識別する例である。上映される原画像を構成する複数のフレーム４０（例えば２４フレーム／ｓｅｃ）のうち、識別マーク５０を重畳するフレーム４０を選択することで、識別マーク５０の表示タイミングを調整可能である。図示の例では、識別マーク５０による識別対象となる装置固有情報は、上映装置１のベンダーである。
【００８１】
例えば、識別マーク５０が図６の上段に示す表示タイミング（リールエンド付近において比較的長い時間間隔で３回点滅）で表示された場合には、上映装置１のベンダーがＡ社であると判定できる。また、識別マーク５０が図６の中段に示す表示タイミング（リールエンド付近において比較的短い時間間隔で３回点滅）で表示された場合には、上映装置１のベンダーがＢ社であると判定できる。また、識別マーク５０が図６の下段に示す表示タイミング（リールエンド付近において長く１回点滅）で表示された場合には、上映装置１のベンダーがＣ社であると判定できる。
【００８２】
このように、識別マーク５０の表示タイミング（例えば、本編映像に対して識別マークを挿入する時間軸上の位置、表示回数、表示時間間隔など）によっても、上映装置１の装置固有情報を識別可能に表現することができる。この場合も、上記図４の識別マークの形状で識別する場合と比して、識別マークの大きさを小さくして、違和感を低減することができる。なお、識別マーク５０の表示タイミングは、図示の例に限定されず、例えば、リールヘッド付近、リール中盤など、相互に識別可能であれば任意のタイミングであってよい。
【００８３】
以上、図４〜図６を参照して、デジタルシネマの原画像に重畳される識別マークの形状、表示位置、表示タイミングなどの表示パターンの例について説明した。かかる識別マークの表示パターンを装置固有情報ごとに変えることにより、盗撮に用いられた上映装置１やそのベンダー、盗撮日時、盗撮場所等を判別することができる。これ以外にも、識別マークの大きさ又は色などの表示パターンを、各上映装置１の装置固有情報ごとに変えて重畳することで、盗撮画像から、盗撮に用いられた上映装置１のベンダー等を判別できる。
【００８４】
さらに、上述したような、識別マークの形状、大きさ、色、上映画面における表示位置、表示タイミングなどを組み合わせて利用することで、識別マークの表示パターンを増加・多様化させることができる。これにより、同一種類の多数の識別情報を識別マークで表現することも可能である。例えば、上映装置１の装置ＩＤは、全世界で使用されている上映装置１の数だけ存在し、その総数は膨大である。しかし、上記組み合せにより識別マークの表示パターンが多数存在すれば、上映装置１の装置ＩＤを識別マークで表現することができる。
【００８５】
また、上記組み合せにより識別マークの表示パターンが多ければ、上映装置１に関する複数種類の情報を識別マークで表現することも可能である。例えば、識別マークの形状で上映装置１のベンダーを表現し、識別マークの表示位置で上映装置１の設置場所（上映場所）を表現し、さらに、識別マークの表示タイミングで上映日時を表現することができる。
【００８６】
このように、識別マークには、上映装置１のベンダー名以外にも、上映装置１に関連する各種の情報を、追加定義することができる。例えば、ベンダー数が限られ、一方、識別マークの表示パターンが豊富に得られる場合は、ベンダー名の他にも、その上映装置１の仕向け情報（上映装置１の出荷地域（国、州、地方など）又は出荷先の企業、劇場などを表す識別情報）、上映日時、上映場所などを追加することができる。これにより、盗撮画像に含まれる識別マークから、盗撮者を特定するためのより詳細な情報が得られるので、盗撮者の犯行手口をさらに絞りやすくなる。
【００８７】
また、本実施形態にかかる上映装置１では、ＤＣＩ規格で定められた肉眼で視認不能な透かし情報（ＩｎｖｉｓｉｂｌｅＷａｔｅｒＭａｒｋ）と、肉眼で視認可能な識別マークとを併用して、かかる透かし情報と識別マークの双方を上映中の映像データに重畳している。これにより、透かし情報及び識別マークを含む盗撮画像から、上映装置１に関する識別情報（例えば装置固有情報）を、より確実かつ高精度に検出することができる。
【００８８】
次に、映画の上映画面上に識別マークが重畳表示されることによる観客の違和感を軽減する方法について説明する。
【００８９】
（１）識別マークの大きさを小さく表示する方法
上映画面上に表示される識別マークを小さくすれば、観客の違和感も軽減できるが、形状による識別マークの識別がしにくくなる。そこで、識別マークの大きさを小さくしたとしても、相異なる上映装置１の装置固有情報を表す識別マークを相互に識別可能にする必要があるが、この方法として例えば次のものを利用することができる。
【００９０】
（ａ）識別マークの表示タイミングの相違
原画像を構成する各フレームに対して識別マークを重畳する際に、識別マークを重畳するフレーム（識別マークの表示フレーム）と、識別マークを重畳しないフレーム（識別マークの非表示フレーム）とを組み合わせることで、識別マークの表示タイミングを多様化できる（図６参照。）。このような時間軸上の識別マークの表示パターンの相違を用いれば、識別マークが小さくても、相異なる上映装置１で表示された識別マークを相互に識別できる。
【００９１】
（ｂ）識別マークの色の相違
上映装置１の装置固有情報ごと（例えばベンダーごと、上映場所ごと）に識別マークの色を変えることで、識別マークが同一の形状及び大きさであっても、相異なる装置固有情報を表現できる。従って、かかる識別マークの色の相違を用いれば、識別マークが小さくても、相異なる上映装置１で表示された識別マークを相互に識別できる。
【００９２】
（ｃ）識別マークの表示位置の相違
上映装置１の装置固有情報ごと（例えばベンダーごと、上映場所ごと）に、上映画面における識別マークの表示位置を変えることで、識別マークが同一の形状及び大きさ等であっても、相異なる装置固有情報を表現できる（図５参照。）。従って、かかる識別マークの表示位置の相違を用いれば、識別マークが小さくても、相異なる上映装置１で表示された識別マークを相互に識別できる。
【００９３】
（ｄ）上記（ａ）〜（ｃ）の方法の組合せ
上記（ａ）〜（ｃ）の方法の２種以上を組み合わせて適用することで、小さい識別マークを用いて、より多数又は他種類の装置固有情報を表現できる。
【００９４】
（２）従来のリールチェンジマークに似せて識別マークを表示する方法
上述したように、従来のフィルム映画では、リールの切替タイミングを表すリールチェンジマークが表示されている。長い映画産業の歴史において、このリールチェンジマークの存在は許容され、一般的に違和感なく定着している。そこで、識別マークを、従来のリールチェンジマークと同様に表示する。具体的には、上映画面における従来のリールチェンジマークに対応する位置（例えば画面の右上隅）に、当該リールチェンジマークと同様の表示タイミング（例えば、各リールエンド付近で２回点滅）で、識別マークを表示させる。これによって、観客は、従来のリールチェンジマークと同様な識別マークを許容できるので、識別マークの表示に伴う観客の違和感を軽減できる。
【００９５】
（３）識別マークの表示時間を短縮する方法
上映画面における識別マークの表示時間を、最小表示区間（１フレーム）で瞬間的（１回）に表示するようにする。通常のデジタルシネマのフレームレートは、例えば２４フレーム／秒であるので、１フレームのみに対して識別マークを重畳すれば、識別マークの表示時間は２４分の１秒となり、極めて短い。これにより、観客は、デジタルシネマの上映画面（動画）では、瞬間的に表示される識別マークを視認できないので、全く違和感なく映画を鑑賞できる。一方、かかる上映画面を盗撮した盗撮画像を検証する際には、盗撮画像の再生をフレーム単位で停止させながら、静止画面上で識別マークの有無を慎重にチェックする。これにより、識別マークが重畳された１フレームを特定し、この１フレームの静止画像中に表示された識別マークの形状等から、上映装置１のベンダー等の識別対象を判別できる。
【００９６】
（４）識別マークと原画像とを融合させる方法
映画の原画像に対して透過性を有する識別マークを重畳する。或いは、識別マークが重畳される位置の原画像と識別マークとの間で、色差及び／又は明度差が所定値以下に小さくなるように、識別マークの色や明度を計算し、調整した色や明度の識別マークを原画像に重畳する。これらにより、識別マークを背景の原画像に融合させて、目立たなくすることができ、観客の違和感を軽減できる。
【００９７】
（５）上記（１）〜（４）の方法の組合せ
上記（１）〜（４）の方法の２種以上を組み合わせて適用することで、識別マークを更に違和感なく表示できる。
【００９８】
以上説明した（１）〜（５）の方法を用いることで、デジタルシネマ上映中に、上映画面上に識別マークが表示されることによる観客の違和感を軽減できる。さらに、これらの方法を適用することで、観客に対してだけでなく、盗撮者に対しても識別マークの存在が気付かれにくくなる。このため、盗撮者が、識別マークがきっかけとなって盗撮者の検挙につながらないよう、盗撮画像において識別マークを削除する又は覆い隠す等といった対策を講ずることを抑止する効果もあわせて期待できる。
【００９９】
次に、図７を参照して、本実施形態にかかる識別マーク５０が含まれる盗撮画像を検証して、盗撮が行われた上映装置１に関する情報を得る手法について説明する。図７は、本実施形態にかかる識別マーク５０が含まれる盗撮画像を表示した状態を示す説明図である。
【０１００】
デジタルシネマの盗撮の手口は多種多様であるが、例えば、観客が上映画面を不正に隠し撮りするケースや、上映装置１が設置された劇場の関係者が、観客不在時に上映装置１でデジタルシネマを上映して、デジタルビデオカメラ等を用いて上映画面を不正に隠し撮りするケースなどが考えられる。盗撮された映画は、図７に示すような海賊版ＤＶＤ６０等にダビングされて市場で違法販売されたり、インターネット等のネットワークを介して端末装置間で不正にコピーされたりする。
【０１０１】
かかる盗撮を防止するために、本実施形態では上記のように、上映装置１におけるデジタルシネマの上映時に、デコードされたデジタルシネマの映像に対して、従来の透かし情報（Ｉｎｖｉｓｉｂｌｅ  ＷａｔｅｒＭａｒｋ）に加えて、識別マーク（Ｖｉｓｉｂｌｅ  Ｍａｒｋ）を重畳する。これによって、盗撮画像にも、透かし情報及び識別マークが含まれることになり、特に、識別マークは肉眼でも視認可能に表示される。
【０１０２】
このため、図７に示すように、盗撮画像が記録された海賊版ＤＶＤ６０を、ＤＶＤプレーヤー等の再生装置６２で再生すると、モニタ６４の画面には、映画本編の映像に重畳して識別マーク５０が、肉眼で視認可能に表示される。この識別マークの表示パターン（形状、表示位置、表示タイミング等）を分析することで、デジタルシネマが上映された上映装置１に関する装置固有情報（装置ＩＤ、ベンダー名、上映日時、上映場所など）を判別できる。従って、盗撮画像の画質劣化等が原因で、盗撮画像から透かし情報を十分に検出できない場合であっても、盗撮画像から識別マークを用いて、盗撮が行われた上映装置１に関する情報を得ることができる。
【０１０３】
以上、本実施形態にかかる上映装置１とこれを用いた上映方法について説明した。本実施形態によれば、上映装置１におけるデジタルシネマの上映中に、重畳装置３０により、映画本編の映像データに上映装置１のベンダー等を表す識別マーク５０を重畳することで、上映される映像の一部を肉眼でもその変化が確認できる方法にて変更する。これにより、上映中のデジタルシネマが盗撮され、その盗撮画像から透かし情報を検出できない場合であっても、識別マークによる変更部分を含む盗撮画像から、盗撮に使用された上映装置１やそのベンダー、上映場所、上映日時等を特定することができる。つまり、識別マーク５０によって、盗撮画像から透かし情報を検出できないケースを補完し、盗撮が行われた上映装置１やそのベンダー等を確実に特定できる。よって、盗撮画像から盗撮犯を特定できる可能性が高いので、盗撮者に対する心理的抑止効果が得られ、盗撮を防止する効果がえられる。
【０１０４】
さらに、透かし情報が正常に機能しなかった場合であっても、識別マークを用いて、盗撮に使用された上映装置１のベンダーを特定できる。このため、透かし情報の検出精度が低い上映装置１を提供したベンダーを特定できる。従って、著作権侵害を防止できなかったことに関する責任について、複数のベンダー間で係争に発展するのを防ぐ効果がある。
【０１０５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０６】
例えば、上記実施形態では、上映装置１は、上映サーバ１０とプロジェクタ２２とが一体化された装置で構成され（図１参照）、その内部に重畳装置３０が設置されたが、本発明はかかる例に限定されない。例えば、図８に示すように、デジタルシネマの映像データをデコードする上映サーバ１０と、デコードされた映像データを投影するプロジェクタ２２（投影部）とを別体に構成してもよい。この場合、重畳装置３０は、図８（ａ）に示すように上映サーバ１０に内蔵されてもよいし、或いは、図８（ｂ）に示すようにプロジェクタ２２に内蔵されてもよいし、或いは、図８（ｃ）に示すように上映サーバ１０とプロジェクタ２２との間に別装置として設けられてもよい。いずれの場合であっても、重畳装置３０は、デジタルシネマの上映時に、上映サーバ４０でデコードされた映像データに対して、上記の透かし情報及び識別マークを重畳するように構成される。このように透かし情報及び識別マークが重畳された映像データは、プロジェクタ２２からスクリーン２６に投影される。
【０１０７】
また、上記実施形態では、デジタルシネマの映像データを再生して得られる上映画像の動画及び静止画において視認できるように、識別マークを重畳したが、本発明はかかる例に限定されない。例えば、上映画像の静止画において視認可能であれば、動画においてほとんど視認できない態様で識別マークを重畳してもよい。上映画像の動画において識別マークを視認不能とするためには、所定時間内に識別マークを重畳するフレーム数を所定数以下にすればよい。例えば、２４フレーム／ｓｅｃの映像であれば、１秒当たり１フレーム以下に識別マークを重畳すればよい。
【図面の簡単な説明】
【０１０８】
【図１】本発明の一実施形態にかかる上映システムを示す概略構成図である。
【図２】同実施形態にかかる上映サーバを示す構成図である。
【図３】同実施形態にかかる上映装置に設けられた重畳装置を示す構成図である。
【図４】同実施形態にかかる識別マークの表示例を示す説明図である。
【図５】同実施形態にかかる識別マークの別の表示例を示す説明図である。
【図６】同実施形態にかかる識別マークの別の表示例を示す説明図である。
【図７】同実施形態にかかる識別マークが含まれる盗撮画像を表示した状態を示す説明図である。
【図８】本実施形態の変更例にかかる上映装置の構成を示す説明図である。
【符号の説明】
【０１０９】
１    上映装置
１０    上映サーバ
１５    磁気記憶装置
１６    映像デコード装置
１７    音声デコード装置
２２    プロジェクタ
２４    スピーカ
２６    スクリーン
３０    重畳装置
４０    フレーム
５０    識別マーク
３００    装置固有情報生成部
３０２    装置ＩＤ記憶部
３０４    透かし重畳部
３０６    マーク表示条件設定部
３０８    マーク表示タイミング判定部
３１０    マーク生成部
３１２    重畳部
【図１】
2009076985.tif 000003
【図２】
2009076985.tif 000004
【図３】
2009076985.tif 000005
【図４】
2009076985.tif 000006
【図５】
2009076985.tif 000007
【図６】
2009076985.tif 000008
【図７】
2009076985.tif 000009
【図８】
2009076985.tif 000010